(57)【要約】【課題】プライバシーを確保し、提供された写真プリントの持ち運びや保管などにおける利便性を高め、写真プリントの新たな利用態様を可能とすることができる形態で写真プリントを供給する。【解決手段】本発明による写真プリント装置は、画像データを保持するための記録手段と、画像データを印刷して写真プリントを作成する印刷手段と、封筒を収容する封筒収容手段と、写真プリントを収容した封筒を排出する封筒排出手段とを備えることにより、写真プリントが装置から排出される際に他人の目に触れることを防止し、写真プリントの表面に汚れや傷が生じる可能性を低減する。さらに本発明による写真プリント装置は、封筒の種類の指定を受け付ける封筒指定手段を備えることにより、封筒の種類の選択という新しい楽しみを利用者に提供する。【選択図】　　　図１
2004062599.tif 000002
【特許請求の範囲】
【請求項１】
画像データを保持するための記録手段と、前記画像データを印刷して写真プリントを作成する印刷手段と、封筒を収容する封筒収容手段と、前記封筒に前記写真プリントを挿入する写真プリント挿入手段と、前記写真プリントを収容した封筒を排出する封筒排出手段とを備えることを特徴とする写真プリント装置。
【請求項２】
封筒の種類の指定を受け付ける封筒指定手段を更に備える請求項１に記載の写真プリント装置であって、前記封筒収容手段は、それぞれ異なる種類の封筒を収容する複数の封筒収容部を備え、前記写真プリント挿入手段は、前記封筒指定手段が受け付けた種類の封筒に写真プリントを収容することを特徴とする写真プリント装置。
【請求項３】
認証符号を発生させる認証符号発生手段と、該認証符号及び該認証符号に対応する写真プリントを特定する情報を記録する記録手段と、前記認証符号を利用者に告知する認証符号告知手段と、認証符号の入力を受け付ける認証符号入力手段とを更に備え、
前記封筒排出手段は、認証符号入力手段が受け付けた認証符号に対応する写真プリントを収納した封筒を排出することを特徴とする請求項１又は２に記載の写真プリント装置。
【請求項４】
前記封筒は、一面に折り曲げにより前記封筒を立位に支持する支持脚を形成する折曲脚部材を備えるとともに、他面に窓部が形成されていることを特徴とする請求項１〜３のいずれか一項に記載の写真プリント装置。
【請求項５】
利用者を収容する撮影ブースと、当該撮影ブース内の利用者を撮影する撮影手段を有する筐体とを更に備えることを特徴とする請求項１〜４のいずれか一項に記載の写真プリント装置。
【請求項６】
デジタルカメラで撮影された画像データの読込又は受信を行うためのドライブ又は受信手段を更に備えることを特徴とする請求項１〜５のいずれか一項に記載の写真プリント装置。
【発明の詳細な説明】
【０００１】
【発明の属する技術分野】
本発明は、撮影された画像を印刷して提供する写真プリント装置に関し、特にプライバシーの確保を可能とし、或いは、写真プリントの取扱性を向上させることができる写真プリント装置に関する。
【０００２】
【従来の技術】
従来より、筐体に設置されたデジタルカメラにより撮影ブース内の被写体を撮影し、撮影した画像を写真プリントに印刷してユーザに提供する自動写真撮影機能を備える写真プリント装置が広く利用されており、例えば、撮影の雰囲気や画像編集等の機能にアミューズメント性が付与されたタイプのものはゲームセンターや遊園地などのアミューズメントスポットに多く設置されており、証明写真などの撮影を目的とするタイプのものは、駅や役所などの公的な施設に多く設置されている。
【０００３】
更に、個々人が所有するデジタルカメラを使用して撮影した画像を、高品質の印刷を行うことができるプリンタにより印刷して写真プリントを提供する写真プリント装置もまた広く利用されており、このような写真プリント装置は、コンビニエンスストアや電気店などの市内各所に設置されている場合が多い。
【０００４】
写真プリント装置は、上述のように多くの人が自由にアクセスできる公共の場に設置される場合が多く、また、写真プリントの提供は、プリントされた裸の状態の写真プリントを装置から排出することにより行われているために、写真プリントが他人の目に触れることを完全に防ぐことは困難であり、プライバシーが確保できないという問題がある。
【０００５】
また、客観的にはプライバシーの確保がさほど必要といえない写真であっても、例えば、自身が写っている写真が他人の目に触れることに心理的な抵抗を感じる利用者も多く、そのような利用者には、従来の写真プリント装置は敬遠されることになる。
【０００６】
また、従来の写真プリント装置は、プリントされた裸の状態の写真プリントをそのまま提供するものであったため、提供された写真プリントの持ち運びや保管などの利便性に欠ける面があり、写真プリントの取り扱い上の利便性を向上させ、或いは更に、従来にない写真プリントの新しい利用形態を可能とする態様で写真プリントを提供することで、写真プリント装置の付加価値を向上させ、或いは、装置の利用者層を拡大することが望まれていた。
【０００７】
【発明が解決しようとする課題】
本発明は、上記問題を解決し、プライバシーを確保することができる写真プリント装置を提供するとともに、提供された写真プリントの持ち運びや保管などにおける利便性を高めることができる写真プリント装置を提供し、更には、写真プリントの新たな利用態様を可能とすることができる形態で写真プリントを供給する写真プリント装置を提供することを目的とする。
【０００８】
【課題を解決するための手段】
本発明は、かかる課題に鑑みてなされたものであり、画像データを保持するための記録手段と、前記画像データを印刷して写真プリントを作成する印刷手段と、封筒を収容する封筒収容手段と、前記封筒に前記写真プリントを挿入する写真プリント挿入手段と、前記写真プリントを収容した封筒を排出する封筒排出手段とを備えることを特徴とする写真プリント装置である。
【０００９】
本発明によれば、写真プリントは、封筒に挿入された状態で封筒排出手段から排出されることとなるため、装置からの排出の際に写真プリントが他人の目に触れることを防止することが可能となる。
【００１０】
従って、従来、他人の目に触れる可能性を考慮して、利用を控えていた利用者も安心して写真プリント装置を利用することが可能となり、装置の利用者層の拡大が図られることとなる。
【００１１】
更に、写真プリントは封筒に挿入された状態で排出されるため、写真プリントの持ち帰りや取り扱いの際の利便性が向上することとなり、写真表面に汚れや傷が生じる可能性も低減することができる。
【００１２】
また本発明の写真プリント装置は、封筒の種類の指定を受け付ける封筒指定手段を更に備えるものとし、封筒収容手段は、それぞれ異なる種類の封筒を収容する複数の封筒収容部を備え、写真プリント挿入手段は、封筒指定手段が受け付けた種類の封筒に写真プリントを収容するものとすることができ、これにより、封筒の種類の選択という新しい楽しみを利用者に提供することができる。
【００１３】
また本発明は、認証符号を発生させる認証符号発生手段と、該認証符号及び対応する写真プリントを特定する情報を記録する記録手段と、前記認証符号を利用者に告知する認証符号告知手段と、認証符号の入力を受け付ける認証符号入力手段とを更に備え、前記封筒排出手段は、認証符号入力手段が受け付けた認証符号に対応する写真プリントを収納した封筒を排出するものとすることができる。
【００１４】
かかる本発明によれば、認証符号告知手段から告知された認証符号が認証符号入力手段に入力された時点で、写真プリントが封筒に挿入されて排出されるために、印刷などが行われている間、利用者は、写真プリント装置の前で待っていなければならない必要性から解放される。
【００１５】
更に本発明における封筒は、一面に折り曲げにより前記封筒を立位に支持する支持脚を形成する折曲脚部材を備えるとともに、他面に窓部が形成されたものとすることができる。
【００１６】
かかる本発明によれば、写真プリントは封筒に挿入されて排出されるため、上記と同様に取り扱いの利便性が得られるとともに、一面に設けられた折曲脚部材を折り曲げて封筒を立位に支持する支持脚として使用することができ、他面に設けた窓部から写真プリントを鑑賞することが可能であるため、写真プリントが挿入される封筒を、写真立てとしても利用することが可能となる。
【００１７】
【発明の実施の形態】
以下、本発明の実施形態を、添付の図面を参照して説明する。
【００１８】
図１は本発明の一実施形態に係る写真プリント装置である自動写真撮影装置１の構成を示す斜視説明図であり、図２はその部分拡大図である。
【００１９】
図１に示されるように、筐体１０は、該筐体の略中央部に設置されたＣＣＤカメラ１１、該カメラにより撮影したリアルタイムの映像を表示するディスプレイ１２が設けられており、ＣＣＤカメラ１１下方には、各種情報の表示及び入力のためのタッチパネル式モニタ１３、タッチペン１４、及び操作ボタン１５が設けられ、また、ＣＣＤカメラ１１の左右には、ブース内の利用者に適切な照明を照射するための照明装置１６、音楽や利用者に対する案内を再生するためのスピーカ１７が設けられている。
【００２０】
更に、筐体１０の正面下方には、コイン投入口１８とともに、封筒収容ドロア１９が設けられており、筐体１０の側面には、各種情報の表示及び入力のためのタッチパネル式モニタ２０及びタッチペン２１が設けられ、更に、タッチパネル式モニタ２０の下方には、封筒に挿入された写真プリントを排出する写真プリント排出口２２が設けられている。
【００２１】
撮影ブース２３は、筐体１０に隣接して設けられ、撮影ブース２３の天井面２４、両側面２５、および筐体の対向面である背面２６と、筐体１０により囲まれる空間に撮影スペースが形成されており、更に撮影ブースの一側面または両側面２５には利用者が出入りするための開口２７が設けられ、開口２７には、必要に応じて該開口の開閉を行うためのカーテン乃至アコーディオンドアが設けられており、利用者のアクセスと、必要な場合のプライバシーが確保されるよう構成されている。
【００２２】
図２の部分拡大図においては、封筒収容ドロア１９が引き出された状態が図示されている。
【００２３】
封筒収容ドロア１９内には、複数の封筒トレイ２８が設けられ、各トレイ内には封筒２９が積層されて収容されている。
【００２４】
ここで、封筒２９は、手紙の郵送等に使用する通常の封筒を使用することができるが、その材質や形状、サイズ、柄などは任意であり、各封筒トレイ２８には、それぞれ材質、形状、サイズ、柄などが異なる封筒２９、或いは、それぞれ異なるブランドマークが施された封筒２９が収容されるものとすることができる。
【００２５】
また、封筒トレイ２８の少なくとも一部には、図３（ａ）、（ｂ）に示す折曲脚部材３４及び窓部３６を備える封筒２９を収容するものとすることが可能である。
【００２６】
かかる封筒２９は、例えば図３（ａ）に示すように、一方の面３０には、脚部３１、係止片３２、及び、ベース３３よりなる折曲脚部材３４を取り付け、他方の面３５には、矩形の窓部３６をくり抜いて、或いは更にくり抜かれた部分を透明なシート部材で覆うことにより形成することができる。
【００２７】
折曲脚部材３４の封筒２９への取り付けは、ベース３３の部分を面３０の所定の位置に糊付けするなどにより行われ、脚部３１及び係止片３２は、面３０の拘束を受けず、それぞれのベース３３との境界線で折れ曲がることにより、面３０から起立可能とされている。
【００２８】
図３（ｂ）は、脚部３１及び係止片３２を折り曲げるとともに、それぞれの係止部３１ａ、３２ａを係合させることで支持脚を構成した状態を示している。
【００２９】
このように、封筒２９は、指示脚により立位を保つことが可能となり、更に、封筒２９への写真プリントの挿入を、写真面３７を窓部３６が形成された面３５に向けて行うことで、写真面３７を窓部３６から観察できる写真立てとして利用することが可能となる。
【００３０】
また、図４は、筐体１０内に設置される写真プリント挿入機構３８の一例を示す構成図である。
【００３１】
図中２９は、所定の封筒トレイ２８から図示されない送り機構により搬送された封筒であり、封筒２９は写真プリント挿入機構３８の所定の停止位置に保持される。
【００３２】
保持位置における封筒２９上部の挿入口近傍には、図示される封筒２９の左右方向に移動可能な吸引具３９が配置されており、吸引具３９は、左右方向から封筒２９に当接した状態で吸引を行いつつ、封筒２９から離れる方向に移動することにより、封筒の挿入口を開口させるよう構成されている。
【００３３】
一方、図中４０は、写真プリントを誘導して封筒に挿入するための誘導トレイであり、誘導トレイ４０は、封筒停止位置における封筒２９に対して上下方向に移動可能とされており、吸引具３９により封筒挿入部が開口された後に、誘導トレイ４０の下部端が開口された封筒挿入口に差し込まれるよう構成されている。
【００３４】
写真プリント挿入機構３８は、上記した構成により封筒２９の開口した挿入口に誘導トレイ４０の下部端が差し込まれた状態で、誘導トレイ４０上で写真プリントを誘導して封筒２９内への写真プリントの挿入を行うものである。
【００３５】
筐体１０の内部には、図５に示される制御装置５０が設置されている。
【００３６】
制御装置５０は、バス５１により相互に接続されるＣＰＵ５２、ＣＰＵを制御する基本プログラムを格納するＲＯＭ５３、ＣＰＵ５２の作業用データや、一時データを記録するＲＡＭ５４、及び、インターフェース（Ｉ／Ｆ）５５を備えている。
【００３７】
インターフェース５５にはハードディスク５６、ＣＤ−ＲＯＭドライブ５７に加え、制御装置５０のコントロールに従って、ＣＣＤカメラ１１による撮影を制御するためのカメラ駆動装置６０、照明装置１６を制御するための照明制御装置６１、ハードディスク５６に記録された音響データをスピーカ１７から出力させるための音響制御装置６２、投入された硬貨の検出を行うコイン処理部６３などの外部機器が接続されており、ＣＰＵ５２とこれら各機器との間における信号の授受が可能とされている。
【００３８】
また、制御装置５０のコントロールのもとに、プリンタ６４は、ＣＣＤカメラ１１により撮影された画像の印刷を行い、プリンタ６４から排出された写真プリントは、図４に示す写真プリント挿入機構３８において、封筒トレイ２８から搬送される封筒２９に封入される。
【００３９】
以下、図６に示すフローチャートに従って本実施形態に係る自動写真撮影装置１の動作を説明する。
【００４０】
コイン処理部６３が所定の料金の支払いを検出すると、制御装置５０はハードディスク５６にインストールされているプログラムに従い、写真撮影セッション（ステップＳ１）を実行する。
【００４１】
写真撮影セッションにおいては、ＣＣＤカメラ１１により撮影される利用者の画像がＣＣＤカメラ１１が備える記憶手段に固定記録されることにより、１回又は所定回数の写真撮影が行われる。写真撮影は、制御装置５０が、予め定められたタイミングで複数回の写真撮影を自動的に実行するものであってもよく、或いは、利用者による撮影命令を例えば操作ボタン１５から受け付けて写真撮影を行うものであってもよい。
【００４２】
撮影された画像は、所定のタイミングで、ＣＣＤカメラ１１が備える記憶装置からＲＡＭ５４に伝送されて記録される。
【００４３】
所定枚数の写真撮影が行われた時点で写真撮影セッションは完了し、その後、制御装置５０は、タッチパネル式モニタ１３に図７（ａ）に示す封筒選択画面７１を表示して、利用者が希望する封筒の指定を受け付ける（ステップＳ２）。
【００４４】
即ち、封筒選択画面７１には、複数の封筒の選択肢７２〜７４が表示されており、希望する選択肢上でタッチペン１４を操作することで、自動写真撮影装置１により提供される封筒の種類を指定することができる。
【００４５】
なお、選択肢７２〜７４は、封筒トレイ２８に収容されて選択可能な封筒２９のそれぞれに付されている色彩、模様やブランド名が理解でき、或いは、写真立てとして使用可能であることが理解できる態様で表示される。
【００４６】
続いて、制御装置５０は、図７（ｂ）に示す提供時期選択画面７５をタッチパネル式モニタ１３に表示させ、写真プリントの提供時期の選択を受け付ける（ステップＳ３）。
【００４７】
即ち、利用者は、直ちに写真プリントの提供を受けるか、後刻に提供を受けるかを選択することができ、後刻に提供を受けることを希望する場合には、図７（ｂ）に示す画面において、タッチペン１４を操作することで「あとで印刷」の選択肢７６を選択し、直ちに提供を受けることを希望する場合には、「すぐに印刷」の選択肢７７を選択する。
【００４８】
「あとで印刷」の選択肢７６が選択された場合には、制御装置５０は、認証符号を発生させるとともに、例えば図７（ｃ）に示すように、タッチパネル式モニタ１３上に認証符号告知画面７８を表示し、利用者に対して発生された認証符号７９を告知する（ステップＳ４）。また、発生した認証符号は、印刷すべき画像データと関連付けてＲＡＭ５４に記録される。
【００４９】
その後、制御装置５０は、画像データを印刷して写真プリントを作製（ステップＳ５）し、続いて、図４に示す写真プリント挿入機構３８を駆動して、作製された写真プリントをステップＳ２において選択された封筒２９に挿入する（ステップＳ６）。
【００５０】
制御装置５０は、写真プリントが挿入された封筒を、ＲＡＭ５４に記録された認証符号と関連付けて、図示されない保管ラックに保管し、ステップＳ７が実行される迄の間待機する。
【００５１】
利用者は、ステップＳ４において表示された認証符号の表示７９をメモなどに記録した上で、自動写真撮影装置１から離れることが可能であり、その後、利用者が希望する任意の時刻において、ステップＳ７の処理を実行することにより、写真プリントの提供を受けることができる。
【００５２】
即ち、ステップ７において、利用者は、タッチパネル式モニタ２０及びタッチペン２１を用いて、ステップＳ４において表示された認証符号を入力する。
【００５３】
制御装置５０は、ステップＳ７において入力された認証符号が、保管ラックに保管されているいずれかの写真プリントに対応付けられた認証符号と一致する場合には、当該写真プリントが挿入された封筒を写真プリント排出口２２から排出する（ステップＳ８）。
【００５４】
このように、ステップＳ３において「後で印刷」の選択肢７６を選択した場合には、利用者は、ステップＳ５〜Ｓ６において写真プリントの印刷や封筒への挿入が行われている間、自動写真撮影装置１の設置場所で待っていなければならない必要性が解消され、所定時間経過後の任意の時刻においてステップＳ７の処理を行うことにより、直ちに写真プリントの提供を受けることが可能となる。
【００５５】
一方、ステップＳ３で「すぐに印刷」の選択肢７７が選択された場合、制御装置５０は、画像データを印刷して写真プリントを作製（ステップＳ９）するとともに、作製された写真プリントをステップＳ２において選択された封筒に挿入し（ステップＳ１０）、当該封筒を写真プリント排出口２２から排出する（ステップＳ１１）。
【００５６】
なお、この場合は、利用者は、ステップＳ９〜Ｓ１１が行われている間、写真プリント排出口２２の近くで待機することとなる。
【００５７】
上記した実施形態では、ＣＣＤカメラ１１により撮影した画像を写真プリントとして印刷する自動写真撮影装置１につき説明を行ったが、本発明は、個々の利用者が所有するＣＣＤカメラなどのデジタルカメラで撮影した画像データを取り込んで写真プリントとして印刷する写真プリント装置として構成することが可能である。
【００５８】
かかる写真プリント装置は、上記した自動写真撮影装置１におけるＣＣＤカメラ１１に代えて、或いは、これに加えて、画像データを取り込むための画像データ取込手段を備えることにより構成することが可能である。
【００５９】
画像データ取込手段は、通信回線やインターネット、或いは、ブルーツースなどの方式で伝送されるデータを受信するためのポートとして構成することができ、或いは、スマートメディアやＦＤに記録されたデータを読み込むためのドライブとして構成することも可能である。
【００６０】
そして、本発明は、このような画像データ取込手段から取り込まれた画像をＲＡＭ５４に記録し、上記した実施形態と同様にステップＳ２〜ステップＳ１１の処理を実行するものとして構成しても上記と同様の目的を達成することができる。
【００６１】
なお、上記した実施形態は、あくまで例として記載したものであり、本発明は上記実施形態により限定されるものではない。
【００６２】
例えば、封筒ドロアや写真プリント挿入機構などの具体的構造は、単なる例として記載したものであり、それぞれの目的を達成しうるものであれば、他の任意の機構、構造により封筒ドロア、写真プリント挿入機構を構成するものとすることも可能である。
【００６３】
また、上記した実施形態では、ＣＣＤカメラ１１により撮影した画像、或いは、画像データ取り込み手段から取り込まれた画像をそのまま印刷して写真プリントを作製する場合につき説明したが、写真プリント装置に、画像に対してらくがきなどの編集を行う機能を付与し、撮影した画像、或いは、取り込まれた画像に編集を加えた写真プリントを作製するものとすることも可能である。
【００６４】
また更に、複数の画像をレイアウトして印刷イメージを作製する機能を写真プリント装置に付与し、複数の画像がレイアウトされた写真プリントを封筒に挿入して排出するものとすることも可能であり、更には、複数の画像がレイアウトされた写真プリントをカッティングプロッタなどにより裁断して小さいサイズの写真プリントを作製し、これを、単一の封筒に、或いは、それぞれ小さいサイズの封筒に挿入して提供するものとすることも可能である。
【００６５】
また、上記した実施形態では、利用者に対する認証符号の告知は、タッチパネル式モニタ１３上において行う場合を例示したが、かかる告知は、認証符号が印刷乃至記録されたレシートや磁気カードを利用者に提供することにより行うものとしても構わない。
【００６６】
また、上記した実施形態では、封筒や提供時期の選択、或いは、認証符号の告知は装置正面に配置されたタッチパネル式モニタ１３において行う一方、利用者による認証符号の入力は装置側面に配置されたタッチパネル式モニタ２０において行う場合について説明したが、タッチパネル式モニタ２０を省略し、全ての選択や告知、入力を装置正面のタッチパネル式モニタ１３において行うものとしても構わない。また、認証符号の利用者への告知を、例えば磁気カードの交付により行う場合であれば、認証符号の入力は、交付された磁気カードを磁気的に読み取ることにより行うものとしても構わない。
【００６７】
【発明の効果】
以上の説明から明らかなとおり、本発明によれば、写真プリントが封筒に挿入された状態で排出される写真プリント装置が提供されるため、写真の内容が他人の目に触れることが確実に防止され、また、持ち運びや保管時における写真表面の汚れや傷の発生を防止することができ、写真プリントの取扱性を向上させることができる。
【００６８】
また、写真プリントが挿入される封筒は、複数種類の封筒から選択可能なものとすることにより、より魅力ある写真プリント装置を実現することができる。
【００６９】
更に、写真プリントの受付時に認証符号を利用者に告知し、所定時間経過後に当該認証番号により特定される写真プリントを収納した封筒を排出するよう構成することで、利用者が写真プリントの印刷等が行われている間、写真プリント装置の前で待っていなければならない問題が解消される。
【００７０】
更に、一面に折曲により支持脚を構成する折曲脚部材を備え、他面に窓部を備える封筒を排出するものとすることにより、写真立てとしても利用可能な封筒に写真プリントを挿入して提供することが可能となる。
【図面の簡単な説明】
【図１】本発明の一実施形態に係る写真プリント装置の構成を示す斜視説明図。
【図２】本発明の写真プリント装置の部分拡大説明図。
【図３】（ａ）は折曲支持脚を備える封筒両面の平面図、（ｂ）は同封筒の使用状態を示す説明図。
【図４】本発明の写真プリント装置が備える写真プリント挿入機構の一例を示す説明図。
【図５】本発明の一実施形態に係る写真プリント装置のシステム構成図。
【図６】本実施形態に係る写真プリント装置の動作を説明するフローチャート。
【図７】（ａ）は封筒選択画面の一例を示す説明図、（ｂ）は提供時期選択画面の一例を示す説明図、（ｃ）は認証符号の表示が行われている提供時期選択画面の一例を示す説明図。
【符号の説明】
１　自動写真撮影装置
１０　筐体
１１　カメラ
１２　ディスプレイ
１３　タッチパネル式モニタ
１４　タッチペン
１５　操作ボタン
１６　照明装置
１７　スピーカ
１８　コイン投入口
１９　封筒収容ドロア
２０　タッチパネル式モニタ
２１　タッチペン
２２　写真プリント排出口
２３　撮影ブース
２４　天井面
２５　両側面
２６　背面
２７　開口
２８　封筒トレイ
２９　封筒
３０　封筒の一面
３１　脚部
３１ａ　係止部
３２　係止片
３２ａ　係止部
３３　ベース
３４　折曲脚部材
３５　封筒の一面
３６　窓部
３７　写真面
３８　写真プリント挿入機構
３９　吸引具
４０　誘導トレイ
５０　制御装置
５１　バス
５２　ＣＰＵ
５３　ＲＯＭ
５４　ＲＡＭ
５５　インターフェース
５６　ハードディスク
５７　ＣＤ−ＲＯＭドライブ
６０　カメラ駆動装置
６１　照明制御装置
６２　音響制御装置
６３　コイン処理部
６４　プリンタ
７１　封筒選択画面
７２、７３、７４、７６、７７　選択肢
７５　提供時期選択画面
７８　認証符号告知画面
７９　認証符号
【図１】
2004062599.tif 000003
【図２】
2004062599.tif 000004
【図３】
2004062599.tif 000005
【図４】
2004062599.tif 000006
【図５】
2004062599.tif 000007
【図６】
2004062599.tif 000008
【図７】
2004062599.tif 000009